【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
送電網（２０２）内の任意の数の動力線（２３３）であって、電力を運搬するように構成された任意の数の動力線（２１０）と、
送電網（２０２）内の複数のノード（２２４）であって、任意の数の動力線（２３３）上を運搬される電力（２１４）を制御するように構成された複数のノード（２２４）と、
情報を運搬するように構成された通信ネットワーク（２０４）と、
複数のノード（２２４）に関連付けられた任意の数のエージェントプロセス（２２６）であって、通信ネットワーク（２０４）を使用して互いに通信し、送電網（２０２）内の複数のノード（２２４）を回路（２２０）に構成し、且つこの回路を介した、回路（２２０）に関連付けられた任意の数の負荷（２０８）への電力（２１４）の送達を制御するように構成された任意の数のエージェントプロセス（２２６）と
を備えた装置。
【請求項２】
回路（２２０）は第１の回路（２４２、６６２）であり、動力線内の電力（２１４）の第１の部分（２３１）が第１の回路に、及び電力（２１４）の第２の部分が第２の回路（２４４、６６４）にそれぞれ使われるように、第１の回路（２４２、６６２）が第２の回路（６６４）と任意の数の動力線（２３３）のうちの１つの動力線を共有する、請求項１に記載の装置。
【請求項３】
送電網（２０２）内においてノード（２１２）に関連付けられたエージェントプロセス（２１８）が、任意の数の負荷（２０８）からの電力（２１４）の要求に応答して任意の負荷（２０８）に電力（２１４）を送達するために、送電網（２０２）内のノード（２１２）から複数のノード（２２４）を選択するように構成されている、請求項１に記載の装置。
【請求項４】
エージェントプロセス（２１８）に含まれる１つのエージェントプロセス（３１８）が、送電網（２０２）内のノード（２１２）を介して電力（２１４）を送達するための容量の要求（８１８、１１２８、１２２４）を送り、この容量の要求に対する任意の数の応答（１１３２、１２４２）を受け取り、且つこの任意の数の応答（１１６６）に基づいて送電網（２０２）内のノード（２１２）から複数のノード（２２４）を選択するように構成されている、請求項１ないし３の何れか一項に記載の装置。
【請求項５】
エージェントプロセス（３１８）が第１のエージェントプロセス（１１０２、１２０４）であり、送電網（２０２）内のノード（２１２）のうちの１つのノード（３３０）に関連付けられた第２のエージェントプロセス（１１０６、１２０６）が、第１のエージェントプロセス（１１０２、１２０４）が送った容量の要求（１１２８、１２２４）を受け取り、第２のエージェントプロセス（１１０６、１２０４）に関連付けられたノード（３３０）の容量を特定し、且つ第１のエージェントプロセス（１１０２、１２０４）に任意の数の応答（１１３２）を返す、請求項１ないし４の何れか一項に記載の装置。
【請求項６】
送電網（２０２、５０２）内のノード（２１２）のうちの前記１つのノード（３３０）に関連付けられたエージェントプロセスのうちの第２のエージェントプロセス（１１０６、１２０４）が、容量の要求（１１３４、１２３４）を受け取ると、エージェントプロセス（２１８）のうちの第３のエージェントプロセス（１１１０、１２１２）に容量の要求（１１１０、１２１２）を送る、請求項１ないし５の何れか一項に記載の装置。
【請求項７】
任意の数のエージェントプロセス（２２６）が、任意の数の負荷（２０８）に電力（２１４）を送達する間に容量に変化が生じると、送電網（２０２）内の複数のノード（２２４）内の電力の流れを変化させるように構成されている、請求項１に記載の装置。
【請求項８】
通信ネットワーク（２０４）が、送電網（２０２）内の動力線（２１０）、無線通信リンク（２２５）、有線通信リンク（２２７）、及び光ファイバケーブル（２２９）のうちの少なくとも１つから選択された通信リンク（２２３）を含んでいる、請求項１に記載の装置。
【請求項９】
任意の数の動力線（２３３）及び複数のノード（２２４）が、回路（２２０）内に電力潮流回路（２４２）を形成しており、任意の数のエージェントプロセス（２２６）が、回路（２２０）内に電力制御回路（２４４）を形成している、請求項１に記載の装置。
【請求項１０】
回路（２２０）の第１の終点（２３０）と、回路（２２０）の第２の終点（２３２）とをさらに備える、請求項１ないし９の何れか一項に記載の装置。
【請求項１１】
第１の終点（２３０）が、任意の数の電源（２０６）のうちの１つの電源、及び複数のノード（２２４）のうちの１つのノードから選択され、第２の終点（２３２）が、任意の数の負荷（２０８）のうちの１つの負荷、及び複数のノード（２２４）のうちの１つのノードから選択される、請求項１０に記載の装置。
【請求項１２】
回路が仮想電力回路（２２２）である、請求項１に記載の装置。
【請求項１３】
制御プロセス（２３８）が、通信ネットワーク（２０４）を使用して任意の数のエージェントプロセス（２２６）と通信することにより、任意の数のエージェントプロセス（２２６）が、送電網（２０２）内の複数のノード（２２４）を回路（２２０）に構成する、請求項１ないし３の何れか一項に記載の装置。
【請求項１４】
エージェントプロセス（２１８）のうちの１つのエージェントプロセス（３１８）が、制御装置インターフェースプロセス（３２１）、デマンド応答システムインターフェースプロセス（３２３）、最適化プロセス（３２５）、安定化プロセス（３２７）、電力潮流信号送信プロセス（３２９）、通知プロセス（３３１）、及びサイバーセキュリティプロセス（３３３）のうちの少なくとも１つを含む、請求項１ないし３の何れか一項に記載の装置。
【請求項１５】
任意の数のエージェントプロセス（２２６）のうちの少なくとも１つがインテリジェント電力ゲートウェイエージェントプロセス（３２０）である、請求項１ないし３の何れか一項に記載の装置。
【手続補正２】
【補正対象書類名】明細書
【補正対象項目名】０２３５
【補正方法】変更
【補正の内容】
【０２３５】
種々の有利な実施形態の説明は、例示及び説明を目的として提示されているものであり、完全な説明であること、又は開示された形態に実施形態を限定することを意図していない。当業者には、多数の修正例及び変形例が明らかであろう。さらに、種々の有利な実施形態は、他の有利な実施形態とは異なる利点を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
また、本願は以下に記載する態様を含む。
（態様１）
送電網（２０２）内の任意の数の動力線（２３３）であって、電力を運搬するように構成された任意の数の動力線（２１０）と、
送電網（２０２）内の複数のノード（２２４）であって、任意の数の動力線（２３３）上を運搬される電力（２１４）を制御するように構成された複数のノード（２２４）と、
情報を運搬するように構成された通信ネットワーク（２０４）と、
複数のノード（２２４）に関連付けられた任意の数のエージェントプロセス（２２６）であって、通信ネットワーク（２０４）を使用して互いに通信し、送電網（２０２）内の複数のノード（２２４）を回路（２２０）に構成し、且つこの回路を介した、回路（２２０）に関連付けられた任意の数の負荷（２０８）への電力（２１４）の送達を制御するように構成された任意の数のエージェントプロセス（２２６）と
を備えた装置。
（態様２）
回路（２２０）は第１の回路（２４２、６６２）であり、動力線内の電力（２１４）の第１の部分（２３１）が第１の回路に、及び電力（２１４）の第２の部分が第２の回路（２４４、６６４）にそれぞれ使われるように、第１の回路（２４２、６６２）が第２の回路（６６４）と任意の数の動力線（２３３）のうちの１つの動力線を共有する、態様１に記載の装置。
（態様３）
送電網（２０２）内においてノード（２１２）に関連付けられたエージェントプロセス（２１８）が、任意の数の負荷（２０８）からの電力（２１４）の要求に応答して任意の負荷（２０８）に電力（２１４）を送達するために、送電網（２０２）内のノード（２１２）から複数のノード（２２４）を選択するように構成されている、態様１に記載の装置。
（態様４）
エージェントプロセス（２１８）に含まれる１つのエージェントプロセス（３１８）が、送電網（２０２）内のノード（２１２）を介して電力（２１４）を送達するための容量の要求（８１８、１１２８、１２２４）を送り、この容量の要求に対する任意の数の応答（１１３２、１２４２）を受け取り、且つこの任意の数の応答（１１６６）に基づいて送電網（２０２）内のノード（２１２）から複数のノード（２２４）を選択するように構成されている、態様３に記載の装置。
（態様５）
エージェントプロセス（３１８）が第１のエージェントプロセス（１１０２、１２０４）であり、送電網（２０２）内のノード（２１２）のうちの１つのノード（３３０）に関連付けられた第２のエージェントプロセス（１１０６、１２０６）が、第１のエージェントプロセス（１１０２、１２０４）が送った容量の要求（１１２８、１２２４）を受け取り、第２のエージェントプロセス（１１０６、１２０４）に関連付けられたノード（３３０）の容量を特定し、且つ第１のエージェントプロセス（１１０２、１２０４）に任意の数の応答（１１３２）を返す、態様４に記載の装置。
（態様６）
送電網（２０２、５０２）内のノード（２１２）のうちの前記１つのノード（３３０）に関連付けられたエージェントプロセスのうちの第２のエージェントプロセス（１１０６、１２０４）が、容量の要求（１１３４、１２３４）を受け取ると、エージェントプロセス（２１８）のうちの第３のエージェントプロセス（１１１０、１２１２）に容量の要求（１１１０、１２１２）を送る、態様５に記載の装置。
（態様７）
任意の数のエージェントプロセス（２２６）が、任意の数の負荷（２０８）に電力（２１４）を送達する間に容量に変化が生じると、送電網（２０２）内の複数のノード（２２４）内の電力の流れを変化させるように構成されている、態様１に記載の装置。
（態様８）
通信ネットワーク（２０４）が、送電網（２０２）内の動力線（２１０）、無線通信リンク（２２５）、有線通信リンク（２２７）、及び光ファイバケーブル（２２９）のうちの少なくとも１つから選択された通信リンク（２２３）を含んでいる、態様１に記載の装置。
（態様９）
任意の数の動力線（２３３）及び複数のノード（２２４）が、回路（２２０）内に電力潮流回路（２４２）を形成しており、任意の数のエージェントプロセス（２２６）が、回路（２２０）内に電力制御回路（２４４）を形成している、態様１に記載の装置。
（態様１０）
回路（２２０）の第１の終点（２３０）と、回路（２２０）の第２の終点（２３２）とをさらに備える、態様１に記載の装置。
（態様１１）
第１の終点（２３０）が、任意の数の電源（２０６）のうちの１つの電源、及び複数のノード（２２４）のうちの１つのノードから選択され、第２の終点（２３２）が、任意の数の負荷（２０８）のうちの１つの負荷、及び複数のノード（２２４）のうちの１つのノードから選択される、態様１０に記載の装置。
（態様１２）
回路が仮想電力回路（２２２）である、態様１に記載の装置。
（態様１３）
制御プロセス（２３８）が、通信ネットワーク（２０４）を使用して任意の数のエージェントプロセス（２２６）と通信することにより、任意の数のエージェントプロセス（２２６）が、送電網（２０２）内の複数のノード（２２４）を回路（２２０）に構成する、態様３に記載の装置。
（態様１４）
エージェントプロセス（２１８）のうちの１つのエージェントプロセス（３１８）が、制御装置インターフェースプロセス（３２１）、デマンド応答システムインターフェースプロセス（３２３）、最適化プロセス（３２５）、安定化プロセス（３２７）、電力潮流信号送信プロセス（３２９）、通知プロセス（３３１）、及びサイバーセキュリティプロセス（３３３）のうちの少なくとも１つを含む、態様３に記載の装置。
（態様１５）
任意の数のエージェントプロセス（２２６）のうちの少なくとも１つがインテリジェント電力ゲートウェイエージェントプロセス（３２０）である、態様３に記載の装置。